(57)【要約】【課題】畳下収納庫の上蓋を畳上に取手の代用品を露出させることなく、簡単に開閉する。【解決手段】半畳の正方形状の畳２、２ａ…を敷き詰めた座敷において、畳２、２ａ…下に収納部３を凹設し、該収納部３の上蓋４は、同列の２枚以上の畳２、２ａ…底部に一体的に固定して成り、上蓋４において隣接する畳縁１０、１０ａ間に対応する部位に線状穴１１を形成すると共に、該線状穴１１の下方に掛止棒１３を直交配置し、別設の上蓋開放具１４の先端に設けたフック１４ａを畳縁１０、１０ａ間から線状穴１１の下方へ差し込んで掛止棒１３に引っ掛けて引き上げることにより、畳２、２ａ…と一体化した上蓋４を開放する。【選択図】　　　　図２
2004076407.tif 000002
【特許請求の範囲】
【請求項１】
半畳の正方形状の畳を敷き詰めた座敷において、畳下に収納部を凹設し、該収納部の上蓋は、同列の２枚以上の畳底部に一体的に固定して成り、上蓋において隣接する畳縁間に対応する部位に線状穴を形成すると共に、該線状穴の下方には、前記畳縁間から線状穴下方へ差し込まれる上蓋開放具のフックが引っ掛けられる掛止棒を直交配置したことを特徴とする畳下収納庫。
【請求項２】
掛止棒の下方には、フックの差し込み深さを規制するガイドを線状穴に沿って設けたことを特徴とする請求項１記載の畳下収納庫。
【発明の詳細な説明】
【０００１】
【発明の属する技術分野】
本発明は、半畳の正方形状の畳を敷き詰めた座敷における畳下収納庫に関する。
【０００２】
【従来の技術】
従来、畳を敷き詰めた座敷において、畳下に設けた収納庫を開放するには、先ず、一畳の畳の畳縁適所に畳表面に露出する様に取付けた紐を引っ張って敷設された畳を外し、これにより露出する収納庫の上蓋の上面に設けた回転取手を引き出し、該取手で以て上蓋を開放する様に成していた。
【０００３】
【発明が解決しようとする課題】
しかしながら、畳を一旦外した後に、上蓋を開閉するのは、甚だ面倒であると共に、外した畳を壁に立て掛けておかないと、上蓋の開放時に邪魔となる不具合を有する。
又、畳を外すために取付けられた紐が常時畳上に露出しているのは見た目が悪く、躓き易いといった課題を有していた。
【０００４】
【課題を解決するための手段】
本発明は、上記課題に鑑み、半畳の正方形状の畳を敷き詰めた座敷において、畳下に収納部を凹設し、該収納部の上蓋は、同列の２枚以上の畳底部に一体的に固定して成り、上蓋において隣接する畳縁間に対応する部位に線状穴を形成すると共に、該線状穴の下方に掛止棒を直交配置し、別設の上蓋開放具の先端に設けたフックを前記畳縁間から線状穴の下方へ差し込んで掛止棒に引っ掛けて引き上げることにより、畳と一体化した上蓋を開放する様にして、上記課題を解決する。
【０００５】
【発明の実施の形態】
以下本発明の一実施例を図面に基づいて説明する。
本発明に係る畳下収納庫１は、琉球畳（畳縁に付ける布の無い半畳の正方形状の畳）や、その他の半畳の正方形状の畳２、２ａ…を敷き詰めた座敷において、その畳２、２ａ…下に収納部３を凹設している。
収納部３の上蓋４は、同列の２枚以上の畳２、２ａ…の底部に一体的に固定している。
上蓋４は、片開き又は両開きのタイプがあり、上蓋４が片開きの場合、図１に示す様に、同列の２枚以上の畳２、２ａ…（図示例では３枚）に上蓋４が一体的に固定され、上蓋４が両開きの場合、図７に示す様に、隣接する２列の２枚以上の畳２、２ａ…（図示例では２枚１組）の夫々に対し各上蓋４が一体的に固定されている。
そして、片開きの上蓋４、又は両開きの各上蓋４における一方の長手辺両端部はヒンジ５を介して収納部３に揺動自在に取付けられている。
尚、上記のいずれのタイプの上蓋４にあっても、その閉鎖状態において、その周囲が収納部３の開口部周縁に設けた段差部６上に載置されることにより支持され、上蓋４の閉鎖状態が保持されているが、特に両開きタイプの上蓋４底部において、他方の長手辺（上蓋開放端４ａ）側には、その長さ方向に渡り桁材７を突設し、該桁材７の両端部が収納部３の上方壁面に突設した桁受け部８上に支持される様に成している（図７参照）。
【０００６】
上蓋４の開放端４ａにおいて、隣接する畳隅部９、９ａの畳縁１０、１０ａ間に対応する部位には、上蓋４の肉厚と同一深さにして、且つ、所定長さの線状穴１１を形成している。
尚、線状穴１１は畳２枚分の上蓋４では一カ所、畳３枚分の上蓋４であれば２箇所といった具合に形成される（図１、７参照）。
上蓋４底部において、線状穴１１の両側には、所定高さの直方体状のブロック１２、１２ａを固定すると共に、該ブロック１２、１２ａ間に丸棒状の掛止棒１３を架設することにより、該掛止棒１３を線状穴１１の下方に直交配置している。
又、掛止棒１３の下方である両ブロック１２、１２ａの下端には、後述する上蓋開放具１４のフック１４ａの差し込み深さを規制するガイド１５を線状穴１１の長さ方向に沿って設けている。
このガイド１５は、線状穴１１に対応したブロック１２、１２ａ間の隙間Ｓを含む両ブロック１２、１２ａ底部全体を被覆する水平板１５ａと、該水平板１５ａにおいて、上蓋開放端４ａ側に対応した一端より直立形成した垂直板１５ｂとから成り、該垂直板１５ｂにおいてブロック１２、１２ａの隙間Ｓに対応した部位にはその高さ方向に渡ってスリット１６が形成されている。
【０００７】
上記の様に構成された畳下収納庫１は、上蓋４の取手の役割をする別設の上蓋開放具１４により開放操作される。
この上蓋開放具１４は、畳２、２ａ…の畳隅部９、９ａの畳縁１０、１０ａ間から線状穴１１下方に差し込んで掛止棒１３を引っ掛けるフック１４ａを先端に設けた薄肉金属板から成り、その基端にグリップ１４ｂを直交状に固定している。
尚、上蓋開放具１４は、スリット１６の間隔幅よりも薄肉にして、線状穴１１の幅よりも極めて薄く、線状穴１１の長さより幅小に形成されている。
又、線状穴１１は、上蓋４において隣接する畳縁１０、１０ａ間に対応する部位であれば、何ら限定されるものではないが、畳２、２ａ…上からでは、上蓋４に設けた線状穴１１の位置が視認できないので、隣接する畳隅部９、９ａの畳縁１０、１０ａ間に対応する部位に線状穴１１を設けた方がより望ましい。
それは、畳２、２ａ…上からでも、線状穴１１の形成位置の見当がつき、畳縁１０、１０ａ間に差し込んだフック１４ａを掛止棒１３に迅速にして正確に引っ掛け易く、又軽い力で上蓋４を引き起せられるからである。
【０００８】
次に本発明に係る畳下収納庫１の作用について説明する。
上蓋４を開放する場合、上蓋４における畳隅部９、９ａの畳縁１０、１０ａ間に対応する部位に、上蓋開放具１４のフック１４ａをガイド１５の水平板１５ａに当たるまで差し込み、その状態で上蓋開放具１４を掛止棒１３へ向かう様に線状穴１１に沿ってスライドさせ、フック１４ａの内角部が掛止棒１３に接触した時に上蓋開放具１４を引き上げることにより、フック１４ａを掛止棒１３に引っ掛けられる（図６参照）。
かかる状態を維持しながら上蓋開放具１４を引き上げることにより、上蓋４は畳２、２ａ…と共に引き起こされ、収納部３が開放される（図２参照）。
尚、畳３枚分の上蓋４では、フック１４ａを差し込む箇所は２箇所になるが、その一方又は両方にフック１４ａを差し込んでこれを掛止棒１３に引っ掛ければ良い。又、上蓋４の開放後、上蓋開放具１４を上記と逆方向にスライドさせて引き上げることにより、フック１４ａを掛止棒１３から離脱させられ、上蓋４を閉鎖するには、単に畳２、２ａ…と共に上蓋４を伏せることで成される。
【０００９】
【発明の効果】
要するに本発明は、半畳の正方形状の畳２、２ａ…を敷き詰めた座敷において、畳２、２ａ…下に凹設した収納部３の上蓋４を同列の２枚以上の畳２、２ａ…底部に一体的に固定したので、上蓋４と共に畳２、２ａ…を一気に開閉でき、従来の様に、一旦畳を外した後に上蓋を開閉するといった煩わしさがなく、例えば２枚の畳２、２ａ…を上蓋４と一体化したものであっても、その大きさは１畳分の畳に相当するため、３枚の畳２、２ａ…を上蓋４と一体化しても、差程の重さを感じることなく開閉できる。
しかも、全てが半畳で正方形状の畳２、２ａ…であるため、畳２、２ａ…の敷き方による収納部３の設置場所の制約はなく、片開きの他に両開きを組み合わせれば、設置面積や設置場所のバリエーションに富んだ畳下収納庫１を提供できる。
又、上蓋４において隣接する畳縁１０、１０ａ間に対応する部位に線状穴１１を形成すると共に、該線状穴１１の下方には、畳縁１０、１０ａ間から線状穴１１の下方に差し込まれる上蓋開放具１４のフック１４ａが引っ掛けられる掛止棒１３を直交配置したので、表面上では畳２、２ａ…が敷設された座敷にしか見えず、従来の様な取手の代わりとなる紐等が畳上に露出していないため、見た目が良く、上蓋４上の隣接する畳縁１０、１０ａ間より上蓋開放具１４のフック１４ａを差し込み、これを畳縁１０、１０ａに沿ってスライドするだけで、フック１４ａを容易に掛止棒１３に引っ掛け、上蓋開放具１４を上蓋４に連結でき、上蓋開放具１４が上蓋４の取手としての役割を果たして簡単に畳２、２ａ…と共に上蓋４を開放でき、又必要のないときは、上蓋開放具１４を上蓋４から外しておけるため、従来の様に躓く心配もない。
【００１０】
掛止棒１３の下方には、フック１４ａの差し込み深さを規制するガイド１５を線状穴１１に沿って設けたので、掛止棒１３にフック１４ａを引っ掛けるに際し、フック１４ａを不用意に深く差し込むことがなく、フック１４ａがガイド１５に接触した時に上蓋開放具１４を畳縁１０、１０ａに沿ってスライドするだけで迅速にして簡単にフック１４ａを掛止棒１３に引っ掛けることできる等その実用的効果甚だ大である。
【図面の簡単な説明】
【図１】上蓋の一例を示すものにしてその閉鎖状態の平面図である。
【図２】上蓋の開放状態を示す断面図である。
【図３】上蓋の要部平面拡大図である。
【図４】上蓋の要部を示す一部破断斜視図である。
【図５】上蓋開放具の斜視図と上蓋の要部の分解斜視図である。
【図６】上蓋の要部を示す断面図である。
【図７】両開きタイプの上蓋の一例を示すものにしてその閉鎖状態の平面図である。
【符号の説明】
２、２ａ…　畳
３　　　　収納部
４　　　　上蓋
１０、１０ａ　畳縁
１１　　　　線状穴
１３　　　　掛止棒
１４　　　　上蓋開放具
１４ａ　　　フック
１５　　　　ガイド
【図１】
2004076407.tif 000003
【図２】
2004076407.tif 000004
【図３】
2004076407.tif 000005
【図４】
2004076407.tif 000006
【図５】
2004076407.tif 000007
【図６】
2004076407.tif 000008
【図７】
2004076407.tif 000009